(57)【特許請求の範囲】
【請求項１】
２枚の翼（１，２）を、水中で垂直な姿勢を保持するリング体（４）に通してあり、一方の翼（２）を他方の翼（１）に対して水中でより深く沈み込むようにしてあり、水の抵抗を受けて２枚の翼（１，２）が離隔連動するルアーの揺動体。
【発明の詳細な説明】
【０００１】
【発明の属する技術分野】
本発明は、水中で揺動して魚を引き寄せるルアーの揺動体に関するものである。
【０００２】
【従来の技術】
ルアーの代表的な形態として、スプーンとスピナーがある。どちらも、水の抵抗を受けることによって動く板状の翼（ブレードとも言う）を有するが、スプーンは翼の一端部に道糸、他端部に釣針が連結してあって、水中で翼が左右にひらひらと揺動するものであり、スピナーは翼が釣針とは別に設けてあって、翼が高速で回転するものである。
【０００３】
スプーンは、釣り人の技量によっては翼に多彩なアクションを演出できるが、翼の動きが今一つ緩慢なので魚を引き付ける効果が弱く、魚に擬態を見破られ易い欠点もあった。一方スピナーは、翼が激しく派手に動くから魚は寄って来るものの、回転するだけの単調な動きであるために、注意力の鋭い魚に食い付かせることが難しかった。
【０００４】
【発明が解決しようとする課題】
本発明は以上に述べたような実情に鑑み、翼がこれまでにない興味深い動きをして魚を良く引き寄せ、また擬態が見破られ難く、高い釣果が得られるルアーを提供することを目的とする。
【０００５】
【課題を解決するための手段】
上記の課題を達成するために、本発明によるルアーの揺動体は、２枚の翼を、水中で垂直な姿勢を保持するリング体に通してあり、一方の翼を他方の翼に対して水中でより深く沈み込むようにし、水の抵抗を受けて２枚の翼が離隔連動するようにした。リング体とは、鋼線により環状に形成され、道糸を連結するとともに、２枚の翼を一箇所に揺動可能に吊り下げるものを言う。リング体が水中で垂直な姿勢を保持できるようにするには、リング体に錘ないし浮揚体を取り付けたり、浮揚体の下側、例えば小魚の形をしたルアーのボディーの下側に、リング体を固定することなどが考えられる。また、一方の翼を他方の翼よりも深く沈み込むようにするには、２枚の翼の重さや大きさを違えること、翼の幅を違えること、一方の翼に釣針の重みが掛かるようにすること等が考えられる。
【０００６】
リング体に翼を１枚だけ設けた場合の翼の動きは、行きと帰りとで同じところを通り、明瞭な円弧を描いて揺動するものとなる。これに対し、本発明のように翼を２枚重ねて設けた場合には、水の抵抗によって２枚の翼に作用する力が影響を及し合い、各翼は８の字を描くような立体的な動きをするようになる。しかも２枚の翼は、距離を保ちながら連動し、同周期で揺動する。すなわち、２枚の翼はバラバラに動くのではなくて、２枚が一体となって（２枚がくっついての意味ではない）揺動する。このように翼を２枚重ねて設けた時には、単独で設けた時には得られない新しい動きが生まれる。このことによって集魚効果が増大し、また同時に魚に擬態を見破られる恐れが低くなるから、高い釣果が得られることとなる。なおこの動きは、一方の翼が他方の翼に対してより深く沈み込むようになってることによって発現するものである。２枚の翼は、それぞれ水より軽くても差し支えない。
【０００７】
翼を一枚だけ設けた場合にその翼がどのように動くかは、翼の形状や重さによって決まる。したがって、形状や重さの違う２枚の翼は、普通に考えれば異なった周期で動くはずであるが、本発明のように一つのリング体に通して２枚重ねて設けた場合には、不思議なことに２枚の翼は連動し、同一の周期で動くこととなる。２枚の翼は、一方を幅広で長さを短く形成して上翼とし、他方（沈み込む方）を幅狭で長さを長く形成して下翼とすることが好ましい。動きの変化は幅広で長さを短く形成した上翼において特に顕著に見られ、本来ゆっくり動くはずのものが、単独で設けた場合よりも明らかに速く激しく動くこととなり、集魚効果が向上する。また、単独に設けた翼が重い場合に、水の流れの圧力とうまくバランスが取れると、揺動しなかったり動きが悪くなる時があるが、本発明のものは下翼がそのような状況にあっても、上翼があることによって下翼の揺動が誘引され、下翼が確実に揺動する。
【０００８】
このようなことが起こる原因について考察する。上翼及び下翼は、下面側に水の流れによる抵抗を受けると、その反対側の上面側に陰圧域が形成される。下翼の上面側に生まれた陰圧域は、上翼を引き付けようとする。この力を受けることで上翼は本来の動きに変化が生じ、振幅が小さくなったり周期が短くなったりする。一方下翼は、自身の陰圧域が上翼の通過によって変形され、その結果上翼につられて動くこととなり、揺動の周期が上翼と一致する。これが、両翼の離隔連動が発現する要因と考えられる。
【０００９】
また、単独で設けた場合よりも各翼の動きが激しくなるのは確かであり、この要因は、下翼が重かったりして単独では動きの悪い場合であっても、上翼があることによって良好に揺動することから、下翼が受ける水の流れのエネルギーが、効率良く翼の揺動エネルギーに転換される結果であると考えられる。
【００１０】
【発明の実施の形態】
以下、本発明の実施の形態を図面に基づいて説明する。図１と図２は、本発明のルアーの揺動体に針を加えてルアーとした実施形態を示している。このルアーは、一端部に通し孔８，９を空けた上翼１及び下翼２と、軸部６の先端に環１０を形成した環付き針３を、リング体４に通して一体にしてあり、水中で水の抵抗を受けると、上翼１と下翼２とが離れた状態で連動して揺動するものである。環付き針３は、上翼１と下翼２の間に配置してあり、針先５は上翼１側に向けられている。
【００１１】
リング体４は鋼線を環状に曲げて形成され、その上部には道糸１１が連結され、下部には上翼１と下翼２、環付き針３を鋼線に通して吊り下げてある。リング体４は、環状に曲げた鋼線の先端同士を溶接等で固着して完全に閉じてあっても良いが、開閉機能を有するものであっても良く、さらには上翼１等の抜け止め手段を講じてあれば、リング体４は完全に閉じた形態でなくても良い。道糸１１の連結位置が移動するのは好ましくないので、図１と図２の例ではリング体４の道糸連結箇所を角型に形成してあり、リング体４全体としては一箇所に角部を持った楕円形に形成してある。またリング体４には、ルアーを沈み込ませると同時に、水中でリング体４の姿勢を垂直に維持できるように錘１２が取り付けてある。
【００１２】
図３はリング体４の別の実施形態を示しており、このリング体４は卵型に形成してあって、道糸１１はリング体４に遊通した連結ビーズ１３を介して連結してある。また、リング体４の上翼１上方にガラスビーズ１４を溶着し、上翼１等が移動できる範囲を制限している。これによって、リング体４に通した上翼１、下翼２、環付き針３がお互いに、あるいはリング体４に絡むことを防止できる。
【００１３】
上翼１の形状は、スピナーに一般的に使われているような幅広で長さの短い木の葉型が良く、厚さについては薄手が好ましい。上翼１の長さは、揺動した時に環付き針３の針先５に干渉しない長さとなっている。また上翼１の幅は、下翼２の幅より広いことが好ましい。上翼１の幅が下翼２の幅より狭い場合には、水流によって下翼２の上面に形成される陰圧域に上翼１が引き寄せられ、最悪の場合には上翼１が下翼２に吸着し、上翼１と下翼２が離隔連動する本ルアー特有の動きが発現しない場合がある。上翼１の幅を下翼２の幅より広くしておけば、水流が上翼１を持ち上げようとする力が大きくなるから、そうした不具合が生じない。
【００１４】
下翼２の形状は細身の木の葉型とし、長さについては、魚が下翼２を狙って食い付くことが多いので、針掛かりの確率を高めるためには、環突き針３の軸方向の長さとほぼ同じ程度とすることが望ましい。下翼２は、自重で垂れ下がる環付き針３に押されるので、通常は上翼１よりも沈み込むが、さらに下翼２を上翼１に比べて肉厚にして自重を重くしたり、細身にして水の抵抗を少なくするなどして、それ自体が沈み込みやすい形態となっていることが、上翼１と下翼２の良好な離隔連動を起こす上で好ましい。ただし下翼２が、極端に幅が狭かったり極端に重かったりして上翼１から大きく乖離するものであると、離隔連動が起こらない場合がある。
【００１５】
上翼１及び下翼２は、図１と図２に示すような平板状であっても良いが、図５に示すように先端部を上向きに曲げた方が安定して揺動する。ただし、水中でわざわざ特異な動きをさせるために、図中の二点鎖線で示すように下向きに曲げたり、上翼１と下翼２を異なった向きに曲げることも考えられる。翼の形状をそうした特異な形状とした時や、上翼１の幅が下翼２の幅より狭い時などには、上翼１と下翼２が吸着したり干渉したりするのを防止するために、図６に示すような、断面屋根型のスペーサー１５を、上翼１と環付き針３の間に配設する場合がある。
【００１６】
図４には、このルアーのより好ましい実施形態を示している。これは、下翼２を長さ方向の中央部が凹んだ船底型に形成してあり、環付き針３の軸部６が下翼２の上面に沿うように「く」の字型に曲っている。この構成によれば、上翼１の揺動できる空間が拡大されることとなるので、上翼１が良好に機能する。また、水の抵抗が大きいために下翼の姿勢が水平に近い状態となったとしても、上翼１が揺動するための空間を確保できる。
【００１７】
さらに下翼２には両サイドに切れ目を入れ、その部分を中央に向かって折り曲げることによって、環付き針の軸部６を保持する針キャッチ部７を設けている。この構成によれば、水の抵抗が大きい場合であっても、環付き針３の軸部６が針キャッチ部７により下翼２の縦中心線上に保持され、環付き針３と下翼２とが一体となって安定して揺動する。環付き針３が下翼２と一緒に揺動することで、魚に針３を認識され難くなるので、魚の食い付きが良くなる。また、環付き針３に魚が掛かった時には、環付き針３と下翼２とはすぐに分離するから、魚の顎などが下翼２の縁に当り、魚が身をよじった際にそこが支点となって針がはずれ、魚をばらしてしまうといった恐れが少ない。針キャッチ部７は、環付き針３の軸部６の太さよりも少し広い間隔の溝が形成されていれば良く、その形成の仕方はここに述べた方法に限らず、例えばプレス加工によって形成しても良いし、別の部材を下翼２表面に接着することによって形成しても良い。
【００１８】
なおここに示したルアーは、全体として昆虫に見えるように作られており、各要素は錘１２が頭部、上翼１が羽根、環付き針３が足、下翼２が腹部に相当する。
【００１９】
以上に述べたような複翼のルアーの水中での動きについて、単翼の場合と比較しながら述べる。図７は、復翼のルアーを水中で泳がせた時の状態を示す斜視図であり、図８（イ）（ロ）は、この時の上翼１の横断面Ｐと下翼２の横断面Ｑが描く軌跡を図示したものである。また図１０は、翼１６を一枚だけリング体４に通して水中を泳がせた時の様子を示す斜視図であり、図１１はその時の翼１６の横断面Ｒの軌跡を図示したものである。翼１６の形状は図７の上翼１とほぼ同じである。なお図８中に二点鎖線で示した１７，１８は、各翼横断面の中点の軌跡である。
【００２０】
単独で設けた翼１６は、図１１に示すように、大きな弧を描いて揺動する。振幅は大きく、周期の長いゆっくりした動きである。これに対して翼を２枚上下に重ねて設けた時の上翼１の動きは、図８（イ）に示すように、これにひねるような動きが加わって８の字を描きながら立体的に揺動することとなる。振幅は単翼の場合に比べて小さく、周期は短くなる。下翼２も、図８（ロ）に示すように上翼１と同じような動きをする。しかも上翼１と下翼２は、互いに関係なく動くのではなく、距離を保ちながら連動し、同周期で揺動する。
【００２１】
このようなことが起こる原因について、図９に即して述べる。上翼１と下翼２は、下面側に水の流れによる抵抗を受け、その反対側である上面側にそれぞれ陰圧域１９，２０が形成されている。水の抵抗によって生まれる上翼１と下翼２の本来の揺動に、この陰圧域１９，２０による両翼１，２を引き付けようとする力が作用することにより、両翼の離隔連動が発現するものと考えられる。陰圧域１９，２０による作用は、図９中のどの位置においても働いているが、特に両翼が軌跡の中央を通過した（ハ）から（ニ）の間で顕著に作用する。上翼１は、環付き針３の重みが掛かり、且つ自重を重く幅狭に形成した下翼２に比べて自由度が高いから、図１１に示すように、下翼２よりも大きく揺動しようとする。しかしこの上翼１が、下翼２から大きくはみ出す（ニ）の状態となると、上翼１の右半分には水の抵抗によって上昇しようとする力が働き、上翼１の左半分には下翼２の陰圧域２０より下降しようとする力が働くから、この時点で上翼１は（ホ）に示すように急旋回することとなる。この作用が上翼１の振幅を狭め、ひねりを伴った立体的で深い揺動を起こす主要因であると考えられる。下翼２は、この上翼１の動きにつられて（イ）（ロ）に示すように追従下降する。
【００２２】
このように本発明によるルアーの揺動体は、二枚の翼１，２が連動し、且つ単独で設けた場合よりも速く激しく動くから、集魚効果が大きく、且つ魚に翼の実態が認識され難い。翼の表面に光沢を持たせた場合には、明瞭なパルスの反射光を放つこととなるから、集魚効果はより一層向上する。また、各翼１，２は行きと帰りとで違ったところを通る立体的な動きをするので、この動きがずれた二重映像をかもし出し、動態認識力の優れた渓流魚にあっても擬態を見破られることがない。
【００２３】
なおルアーの形態は、図面に示したものに限定されない。例えば、小魚に似せて形成した浮揚体の下面側に、リング体を下方に突き出して固定し、そのリング体に２枚の翼を通して吊り下げたものであっても良い。また、釣針を２枚の翼と同じリング体に通すことは必ずしも必要ではなく、釣針を翼とは別個に設けたものであっても良いし、下翼の下端部に釣針を連結したものであっても良い。
【００２４】
【発明の効果】
本発明によるルアーの揺動体は、２枚の翼が連動して揺動し、しかも各翼は単独で設けた場合よりも激しく立体的に動くので、より良く魚の興味を引くと同時に魚に擬態を見破られ難く、よってこれまでにない高い釣果が得られるルアーを提供できる。
【図面の簡単な説明】
【図１】本発明に係るルアーの実施形態を示す斜視図である。
【図２】図１に示したルアーの側面図である。
【図３】リング体の別の実施形態を示す側面図である。
【図４】（イ）（ロ）本発明に係るルアーの別の実施形態を示す正面図と側面図である。
【図５】（イ）（ロ）上翼と下翼の実施形態を示す側面図である。
【図６】（イ）（ロ）上翼と環付き針の間に設けるスペーサーの実施形態を示す平面図とＡ−Ａ断面図である。
【図７】本発明に係るルアーを水中で泳がせた時の様子を示す斜視図である。
【図８】（イ）（ロ）本発明に係るルアーを水中で泳がせた時の、上翼及び下翼の横断面が描く軌跡を示す図である。
【図９】（イ）（ロ）（ハ）（ニ）（ホ）同じく本発明に係るルアーを水中で泳がせた時の、上翼及び下翼の動きを経時的に示した図である。
【図１０】翼を単独でリング体に通し、これを水中で泳がせた時の様子を示す図である。
【図１１】単独で設けた翼の横断面の軌跡を示す図である。
【符号の説明】
１  上翼（翼）
２  下翼（翼）
３  環付き針
４  リング体
５  針先
６  軸部
７  針キャッチ部
【図１】
0003792551.tif 000002
【図２】
0003792551.tif 000003
【図３】
0003792551.tif 000004
【図４】
0003792551.tif 000005
【図５】
0003792551.tif 000006
【図６】
0003792551.tif 000007
【図７】
0003792551.tif 000008
【図８】
0003792551.tif 000009
【図９】
0003792551.tif 000010
【図１０】
0003792551.tif 000011
【図１１】
0003792551.tif 000012